(57)【要約】【課題】侵入者が住宅に不法に侵入した場合でも、窃盗、強盗、殺人などの犯罪を防止できる移動式壁を提供する。【解決手段】壁体部１と壁体部１に設けられた収容部２を備え、収容部２に建物４３の上階に至る階段３１を収容することにより階段３１を隠蔽する移動式壁であって、壁体部１は、天井４１に形成され、上階から階段３１に出入りするための開口部４２を閉め切る位置と、開口部４２を開口する位置との間を横移動可能であり、壁体部１が開口部４２を閉め切る位置に位置した際に、収容部２に階段３１が収容される移動式壁である。【選択図】図１
2005226259.tif 000002
【特許請求の範囲】
【請求項１】
壁体部とこの壁体部に設けられた収容部を備え、該収容部に建物の上階に至る階段を収容することにより該階段を隠蔽する移動式壁であって、
前記壁体部は、天井に形成され、上階から前記階段に出入りするための開口部を閉め切る位置と、前記開口部を開口する位置との間を横移動可能であり、前記壁体部が前記開口部を閉め切る位置に位置した際に、前記収容部に階段が収容されることを特徴とする移動式壁。
【請求項２】
前記階段は、上部が傾斜する傾斜壁の上部に形成されており、
前記壁体部の下部に前記階段の段形形状に対応する形状を有する収容部が設けられており、
この収容部が前記傾斜壁の上部と嵌り合うとともに該壁体部の壁面が該傾斜壁の壁面と面一となることにより前記階段を隠蔽することを特徴とする請求項１に記載の移動式壁。
【請求項３】
前記壁体部及び前記傾斜壁に収納部を設けたことを特徴とする請求項２に記載の移動式壁。
【請求項４】
前記壁体部は、前記開口部を閉め切った状態で固定するための固定手段を備えたことを特徴とする請求項１〜請求項３のいずれか一項に記載の移動式壁。
【請求項５】
前記壁体部は、前記開口部を上階で閉め切るための把手を備えたことを特徴とする請求項１〜請求項４のいずれか一項に記載の移動式壁。
【発明の詳細な説明】
【技術分野】
【０００１】
本発明は、犯罪が発生する蓋然性が高い状況において防犯や警備の目的に用い
られる移動式壁に関する。
【背景技術】
【０００２】
従来の移動式壁としては、例えばアジャスターを締め上げる方式の可動性のある間仕切り壁が開示されている（例えば、特許文献１参照）。
【特許文献１】特開２００１−２４１１９４号公報
【発明の開示】
【発明が解決しようとする課題】
【０００３】
ところで、近年、窃盗、強盗などの犯罪の増加により、住民の間に、自らの生活の安全に対する不安感が高まっていることが推測される。現在では、特に住宅分野での防犯環境設計に大きな期待が寄せられている。
この防犯環境設計としては、まず一番目に、アクセス・コントロールがある。これは、ドア、窓、格子、錠の防備を強めたり、フェンス、防犯灯、警報機を備えて、住宅への不法なアクセスを断つという方法である。
また二番目に、自然的監視というコンセプトがある。これは、住宅や街並みの設計を工夫して、住民が意識しなくても、不審なものが自然と目に入ってしまうような構造を作り出すというものである。例えば街路照明を改善する、住宅の周りの隠れ場を減らす、戸外の活動が目に入るよう住宅の窓からの見通しを良くするといった方策が取られる。
【０００４】
しかしながら、現実には、このような防犯環境設計により事前に策を講じた住宅に暮らしていながら、住宅に不法に侵入されてしまい、窃盗、強盗などの犯罪を防止できなかった事例も発生している。
【０００５】
そこで、本発明の課題は、侵入者が住宅に不法に侵入した場合でも、窃盗、強盗などの犯罪を防止できる移動式壁を提供することである。
【課題を解決するための手段】
【０００６】
上記課題を解決するため、請求項１に記載の発明は、例えば図１に示すように、壁体部１とこの壁体部１に設けられた収容部２を備え、収容部２に建物４３の上階に至る階段３１を収容することにより階段３１を隠蔽する移動式壁であって、壁体部１は、天井４１に形成され、上階から階段３１に出入りするための開口部４２を閉め切る位置と、開口部４２を開口する位置との間を横移動可能であり、壁体部１が開口部４２を閉め切る位置に位置した際に、収容部２に階段３１が収容されることを特徴としている。
【０００７】
請求項１に記載の発明によれば、壁体部１を横移動させることにより、開口部４２を閉め切り、かつ、階段３１を隠蔽できるので、侵入者が住宅に不法に侵入した場合でも、家人は身体一つで又は財物を持って階段３１を通って上階に待避した上で壁体部１を横移動させることにより、自分や財物の存在を侵入者に悟られないようにすることが可能となり、盗難、強盗等の犯罪を防止できる。
【０００８】
ここで、上階への待避を急ぐあまり財物を下階に残したままとなる事態を回避することとして、より確実に盗難等の犯罪を防止しようとする観点からすれば、財物を収容した金庫等を事前に上階に設置しておくことが好ましい。
【０００９】
また、請求項２に記載の発明は、例えば図１に示すように、請求項１に記載の移動式壁において、階段３１は、上部が傾斜する傾斜壁３の上部に形成されており、壁体部１の下部に階段３１の段形形状に対応する形状を有する収容部２が設けられており、この収容部２が傾斜壁３の上部と嵌り合うとともに壁体部１の壁面１１が傾斜壁３の壁面３２と面一となることにより階段３１を隠蔽することを特徴としている。
【００１０】
請求項２に記載の発明によれば、壁体部１を横移動させることにより、収容部２が傾斜壁３の上部と嵌り合い、かつ、壁体部１の壁面１１が傾斜壁３の壁面３２と面一となり、より完全に階段３１を隠蔽できるので、より確実に犯罪を防止できる。
【００１１】
さらに、請求項３に記載の発明は、例えば図示しないが、請求項１又は請求項２に記載の移動式壁において、壁体部１及び傾斜壁３に収納部を設けたことを特徴としている。
【００１２】
請求項３に記載の発明によれば、収納部がカモフラージュとなって隠蔽した階段３１がより発見されにくくなり、より一層確実に犯罪を防止できるとともに、壁体部１及び傾斜壁３の内部スペースの有効活用を図ることも可能となる。
【００１３】
さらにまた、請求項４に記載の発明は、例えば図示しないが、請求項１から請求項３のいずれか一項に記載の移動式壁において、壁体部１は、開口部４２を閉め切った状態で固定するための固定手段を備えたことを特徴としている。
【００１４】
請求項４に記載の発明によれば、開口部４２を閉め切った状態で壁体部１を固定できるので、仮に家人が階段３１を通って上階に待避したことを侵入者に悟られた場合でも、家人が壁体部１を固定することにより、侵入者は家人を追い詰めることが困難となり、より一層確実に犯罪を防止できる。
【００１５】
また、請求項５に記載の発明は、例えば図示しないが、請求項１から請求項４のいずれか一項に記載の移動式壁において、壁体部１は、開口部４２を上階で閉め切るための把手を備えたことを特徴としている。
【００１６】
請求項５に記載の発明によれば、階段３１を通って上階に待避した後で把手を用いて壁体部１を横移動させることができるので、侵入者が住宅に不法に侵入した場合でも、家人は上階に待避した状態で円滑かつ迅速に開口部４２を閉め切り階段３１を隠蔽することが可能となり、より一層確実に犯罪を防止できる。
【発明の効果】
【００１７】
本発明に係る移動式壁によれば、侵入者が住宅に不法に侵入した場合でも、家人は自分や財物の存在を侵入者に悟られないようにすることが可能となり、盗難、強盗等の犯罪が防止される。
【００１８】
また、壁体部を横移動させることにより、収容部が傾斜壁の上部と嵌り合い、かつ、壁体部の壁面が傾斜壁の壁面と面一となるようにすれば、より完全に階段を隠蔽することが可能となり、より確実に犯罪が防止される。
【００１９】
さらに、壁体部及び傾斜壁に収納部を設ければ、収納部がカモフラージュとなって隠蔽した階段がより発見されにくくなり、より一層確実に犯罪が防止されるとともに、壁体部及び傾斜壁の内部スペースが有効活用される。
【００２０】
さらにまた、壁体部が開口部を閉め切った状態で固定するための固定手段を備えれば、仮に家人が階段を通って上階に待避したことを侵入者に悟られた場合でも、家人が壁体部を固定することにより、侵入者は家人を追い詰めることが困難となり、より一層確実に犯罪が防止される。
【００２１】
また、壁体部が開口部を上階で閉め切るための把手を備えれば、侵入者が住宅に不法に侵入した場合でも、家人は上階に待避した状態で円滑かつ迅速に開口部を閉め切り階段を隠蔽することが可能となり、より一層確実に犯罪が防止される。
【発明を実施するための最良の形態】
【００２２】
以下、添付図面に基づいて本発明の実施の形態を詳細に説明する。
【００２３】
なお、ここでは、侵入者が住宅に不法に侵入した状況において犯罪を防止する目的に用いる場合について説明するが、本発明は、これに限られるものではない。すなわち、将来の侵入者による不法侵入に備え、例えば建物の下階に防犯カメラを設け、撮影した映像を上階に設けた警備室で監視することにより、犯罪を未然に防止する目的に用いるような場合でも、本発明の適用が可能である。
【００２４】
図１は本発明の一実施の形態に係る移動式壁の全体構成を示す斜視図（図１（ａ）は壁体部が開口部を閉め切る位置にあるとき、図１（ｂ）は壁体部１が開口部を開口する位置にあるとき）である。
【００２５】
本実施の形態において、移動式壁は、図１に示すように、壁体部１と、階段３１を収容する収容部２とを備えたものとして構成されている。
【００２６】
以下、壁体部１、収容部２、階段３１及び移動式壁についてさらに詳細に説明する。
【００２７】
（１）壁体部１
壁体部１は、図１に示すように、天井４１に形成され、上階から階段３１に出入りするための開口部４２を閉め切る位置と、開口部４２を開口する位置との間を横移動可能であるものとして構成されている。すなわち、このような壁体部１によれば、横移動させることにより、開口部４２を閉め切ることが可能となっている。
【００２８】
ここで、壁体部１としては、汎用の材料等を用いて適宜製作しても差し支えないが、防犯上、壁体部１が容易に破壊できないものであることが必要である。
【００２９】
また、壁体部１は、図示しないが、開口部４２を閉め切った状態で固定するための固定手段を備えたものとして構成されている。つまり、開口部４２を閉め切った状態で壁体部１を固定できるので、仮に家人が階段３１を通って上階に待避したことを侵入者に悟られた場合でも、家人が壁体部１を固定することにより、侵入者は家人を追い詰めることが困難となり、より一層確実に犯罪を防止できることとなっている。
【００３０】
このような固定手段としては、例えば錠やかんぬきなどの汎用品の中から適宜選定して差し支えないが、防犯上、少なくとも破壊するのに相当に時間を要するものであることが必要である。
【００３１】
さらに、壁体部１は、図示しないが、開口部４２を上階で閉め切るための把手を備えたものとして構成されている。つまり、階段３１を通って上階に待避した後で把手を用いて壁体部１を横移動できるので、侵入者が住宅に不法に侵入した場合でも、家人は上階に待避した状態で円滑かつ迅速に開口部４２を閉め切り階段３１を隠蔽することが可能となり、より一層確実に犯罪を防止できることとなっている。
【００３２】
（２）収容部２
収容部２は、図１に示すように、壁体部１に設けられるものとして構成されており、建物４３に固定されており、建物４３の上階に至る階段３１を収容する機能を果たすものとして構成されている。そして、この収容部２に階段３１を収容することにより、階段３１が隠蔽されるようになっている。
【００３３】
具体的には、収容部２は、同図に示すように、壁体部１の下部に階段３１の段形形状に対応する形状を有するものとして構成されている。
【００３４】
すなわち、この収容部２が傾斜壁３の上部と嵌り合うとともに壁体部１の壁面１１が傾斜壁３の壁面３２と面一となり、これにより、より完全に階段３１を隠蔽できるので、より確実に犯罪を防止できることとなっている。
【００３５】
（３）階段３１
階段３１は、図１に示すように、建物４３の下階から上階に至る段形の通路である。そして、下階の天井４１には、上階から階段３１に出入りするための開口部４２が形成されている。
【００３６】
ここで、階段３１は、同図に示すように、上部が傾斜する傾斜壁３の上部に形成されている。つまり、収容部２を階段３１の段形形状に対応する形状に形成することにより、収容部２が傾斜壁３の上部と嵌り合うとともに壁体部１の壁面１１が傾斜壁３の壁面３２と面一となるように構成されている。
【００３７】
（４）移動式壁
移動式壁は、図１に示すように、壁体部１と壁体部１に設けられた収容部２を備えており、収容部２に建物４３の上階に至る階段３１を収容することにより階段３１を隠蔽する役割を果たすものとして構成されている。
【００３８】
具体的には、この移動式壁は、同図に示すように、開口部４２を閉め切る位置と開口部４２を開口する位置との間で横移動可能であるものとして構成されている。そして、壁体部１が開口部４２を閉め切る位置に位置した際に、収容部２に階段３１が収容されるものとして構成されている。
【００３９】
すなわち、このような移動式壁によれば、壁体部１を横移動させることにより、開口部４２を閉め切り、かつ、階段３１を隠蔽できる。
【００４０】
したがって、侵入者が住宅に不法に侵入した場合でも、家人は身体一つで又は財物を持って階段３１を通って上階に待避した上で壁体部１を横移動させることにより、自分や財物の存在を侵入者に悟られないようにすることが可能となり、盗難、強盗等の犯罪を防止できることとなっている。
【００４１】
ここで、この移動式壁は、同図に示すように、収容部２が傾斜壁３の上部と嵌り合うとともに壁体部１の壁面１１が傾斜壁３の壁面３２と面一となることにより階段３１を隠蔽するように構成されている。
【００４２】
すなわち、このような移動式壁によれば、壁体部１を横移動させることにより、収容部２が傾斜壁３の上部と嵌り合い、かつ、壁体部１の壁面１１が傾斜壁３の壁面３２と面一となり、より完全に階段３１を隠蔽できるので、隠蔽した階段３１がより発見されにくくなり、より確実に犯罪を防止できることとなっている。
【００４３】
また、壁体部１及び傾斜壁３は、図示しないが、収納部を設けたものとして構成されている。
【００４４】
すなわち、このような移動式壁によれば、収納部がカモフラージュとなるので、隠蔽した階段３１がより一層発見されにくくなり、より一層確実に犯罪を防止できることとなっている。加えて、傾斜壁３の内部スペースの有効活用を図ることも可能となっている。
【００４５】
このような収納部としては、例えば完成品である家具を壁体部１及び傾斜壁３に取り付けたもの、現場で壁体部１及び傾斜壁３に造作を加えたもの等の中から適宜選定して差し支えないが、壁体部１に家具を取り付け又は造作を加えることにより、防犯上、壁体部１が容易に破壊できるものとなる事態は回避する必要がある。
【図面の簡単な説明】
【００４６】
【図１】本発明の一実施の形態に係る移動式壁の全体構成を示す斜視図（図１（ａ）は壁体部が開口部を閉め切る位置にあるとき、図１（ｂ）は壁体部が開口部を開口する位置にあるとき）である。
【符号の説明】
【００４７】
１ 壁体部
２ 収容部
３ 傾斜壁
１１ 壁面
３１ 階段
３２ 壁面
４１ 天井
４２ 開口部
４３ 建物
【図１】
2005226259.tif 000003